(57)【要約】【課題】断路端子開閉用ツマミに一体に取り付けられた短絡用板バネを、一対の導電板の間に差込みまたは引上げることによって回路の閉または開回路化を行う断路端子台において、誤操作を起こしにくい、操作回数が少ない、接触不良を起こしにくい断路端子台を提供することを目的とする。【解決手段】開回路状態から閉回路状態にするには、安全ピン止め具９ａ、ｂを引上げ方向に回転させて、ツマミ用安全ピン８ａ、ｂの張出し部と安全ピン止め具９ａ、ｂの接触を回避した状態で、断路端子開閉用ツマミ２を差込み、短絡用板バネ５により導電板４ａ、ｂ間の閉回路化を実現する。【選択図】図１
2006277954.tif 000002
【特許請求の範囲】
【請求項１】
断路端子開閉用ツマミに一体に取り付けられた短絡用板バネを、一対の導電板の間に挿脱可能に挿し込むまたは引上げることによって回路の閉または開回路化を行う断路端子台において、
前記断路端子開閉用ツマミの外側に設置した、先端に張出し部を有し、後端は差込方向に垂直な軸周りに回動するツマミ用安全ピンと、
前記断路端子台の固定側に設置した、開回路状態に前記ツマミ用安全ピンの張出し部が勘合する安全ピン止め具とを備えることによって、回路の閉回路化を防止することを特徴とした断路端子台。
【発明の詳細な説明】
【技術分野】
【０００１】
本発明は、制御システムの配線経路に挿入され、配線の接続変更やシステムの動作確認時に電路を物理的に切り離すための断路端子台に関するものである。
【背景技術】
【０００２】
断路端子台は、例えば外部にある電磁弁、小型駆動電気品に対する電力供給、または検出器等からの信号取込みを一時的に遮断するために、制御盤内の外線端子台に設けられている。
【０００３】
図２は、従来の断路端子台の構造の一例を示す図である。図２（ａ）は、電路がつながった閉回路状態を、図２（ｂ）は、電路が遮断された開回路状態を、それぞれ示す。図中、１は断路端子台、２は断路端子開閉用ツマミ、３はツマミストッパ、４ａ、ｂは導電板、５は短絡用板バネ、６は断路端子台取付け用腕、７ａ、ｂは配線接続用ボルト、１０はツマミ側摺動面、および１１は断路端子固定側摺動面をそれぞれ示す。
【０００４】
断路端子台取付け用腕６を有する断路端子台１には、一対の導電板４ａ、ｂが配線接続用ボルト７ａ、ｂにて固定されている。両導電板４ａ、ｂの電気的導通および切断には、短絡用板バネ５が用いられる。短絡用板バネ５は、断路端子開閉用ツマミ２に一体に取り付けられている。断路端子開閉用ツマミ２を、図の上下方向に動かすことにより、短絡用板バネ５が引上げられた場合は、両導電板４ａ、ｂ間が断路化すなわち開回路化（図２（ｂ））され、短絡用板バネ５が差込まれた場合は、両導電板４ａ、ｂ間が通路化すなわち閉回路化（図２（ａ））される。
【０００５】
ツマミストッパ３は、断路端子台１に固定され、ツマミ２の上下方向動作に対する上下限ストッパで、ツマミ２の過剰押込みおよび抜け防止のために取り付けてある。
【０００６】
図２に示した従来の断路端子台は、ツマミ側摺動面１０と断路端子固定側摺動面１１との摩擦力で、断路端子開閉用ツマミ２の差込方向への移動を防止している。しかしながら、人間の錯誤による差込を防止することはできず、遮断すべき対象の電気品と制御盤間を誤って通電状態にしてしまう可能性は大きい。
【０００７】
この問題点に対する対策として、例えば、特開２００１−６４７５号公報（特許文献１）に開示されている技術がある。これは、端子台の接触子どうしを橋絡させるブレードを窓穴に引っ掛けることで、誤動作で回路を閉状態にすることを防止する技術である。
【特許文献１】特開２００１−６４７５号公報
【発明の開示】
【発明が解決しようとする課題】
【０００８】
しかしながら、特許文献１で開示されている技術では、カバーを開閉し、ブレードを回転させ、窓穴に当てて、ブレードが接触子を橋絡させないようにしてはいるものの、操作手順が多い、さらに動作回数が多いことおよびブレードを窓穴に当てる部分が、摩耗による接触不良を起こす可能性があるという問題がある。
【０００９】
本発明は、上記課題を解決するためになされたものであり、誤操作を起こしにくい、操作回数が少ない、接触不良を起こしにくい断路端子台を提供することを目的とする。
【課題を解決するための手段】
【００１０】
本発明の請求項１に係る発明は、断路端子開閉用ツマミに一体に取り付けられた短絡用板バネを、一対の導電板の間に挿脱可能に挿し込むまたは引上げることによって回路の閉または開回路化を行う断路端子台において、前記断路端子開閉用ツマミの外側に設置した、先端に張出し部を有し、後端は差込方向に垂直な軸周りに回動するツマミ用安全ピンと、前記断路端子台の固定側に設置した、開回路状態に前記ツマミ用安全ピンの張出し部が勘合する安全ピン止め具とを備えることによって、回路の閉回路化を防止することを特徴とした断路端子台である。
【発明の効果】
【００１１】
本発明では、断路端子開閉用ツマミに一体に取り付けられた短絡用板バネを、一対の導電板の間に差込みまたは引上げることによって回路の開または閉回路化を行う断路端子台において、ツマミ用安全ピンと安全ピン止め具とを備えるようにしたので、誤操作により開回路状態にすることが少なくなると共に、操作回数も少なくできる。さらに、特許文献１のように短絡用ブレードを窓穴に当てることがないので、短絡ブレードの摩耗もなく、半永久的に回路の接触不良を起こすこともない。
【発明を実施するための最良の形態】
【００１２】
以下、本発明について図面を参照して具体的に説明する。図１は、本発明に係る断路端子台の構造の一例を示す図である。図１（ａ）は、電路がつながった閉回路状態を、図１（ｂ）は、電路が遮断された開回路状態を、それぞれ示す。図中、８ａ、ｂはツマミ用安全ピン、９ａ、ｂは安全ピン止め具をそれぞれ示し、その他の記号は図２と同じである。
【００１３】
断路端子開閉用ツマミ２の外側にそこを中心に断路端子開閉用ツマミ２の差込・引上方向に回転し、先端にストッパ用の張出し部を有する一対のツマミ用安全ピン８ａ、ｂを設ける。さらに、断路端子台の固定側には、一対の安全ピン止め具９ａ、ｂを設け、この安全ピン止め具により図１（ｂ）に示すように、断路端子開閉用ツマミを差込もうとしても、ツマミ用安全ピン８ａ、ｂの張出し部が安全ピン止め具９ａ、ｂで止まるようになっている。すなわち、導電板４ａ、ｂ間が開回路状態から、誤って断路端子開閉用ツマミ２が差込まれて短絡用板バネ５により導電板４ａ、ｂ間が閉回路状態にならないようにしている。
【００１４】
開回路状態から閉回路状態にするには、安全ピン止め具９ａ、ｂを引上げ方向に回転させて、ツマミ用安全ピン８ａ、ｂの張出し部と安全ピン止め具９ａ、ｂの接触を回避した状態で、断路端子開閉用ツマミ２を差込み、短絡用板バネ５により導電板４ａ、ｂ間の閉回路化を実現する（図１（ａ））。
【００１５】
逆に、閉回路状態から開回路状態にするには、断路端子開閉用ツマミ２を引上げて、ツマミ用安全ピン８ａ、ｂを回転軸１２回りに回転して、安全ピン止め具９ａ、ｂの上部に保持させる（図１（ｂ））。
【００１６】
以上のように、手順としては、操作回数が少なく（閉回路化は、安全ピン止め具を回転しながら、断路端子開閉用ツマミを差込む、また開回路化は、断路端子開閉用ツマミを引上げて、ツマミ用安全ピンを安全ピン止めの上部に保持する）なる。また、特許文献１のように短絡用ブレードで引っ掛けることがないので、短絡ブレードの摩耗もなく、半永久的に回路の接触不良を起こすこともない。さらに、閉回路時には、安全ピン止め具９ａ、ｂを上部に保持するようにすれば、安全ピン止め具の位置により、回路が断路か否かの判断は、視覚的にも容易である。
【図面の簡単な説明】
【００１７】
【図１】従来の断路端子台の構造の一例を示す図である。
【図２】本発明に係る断路端子台の構造の一例を示す図である。
【符号の説明】
【００１８】
１        断路端子台
２        断路端子開閉用ツマミ
３        ツマミストッパ
４ａ、ｂ  導電板
５        短絡用板バネ
６        断路端子台取付け用腕
７ａ、ｂ  配線接続用ボルト
８ａ、ｂ  ツマミ用安全ピン
９ａ、ｂ  安全ピン止め具
１０      ツマミ側摺動面
１１      断路端子固定側摺動面
１２      回転軸
【図１】
2006277954.tif 000003
【図２】
2006277954.tif 000004